(57)【要約】      （修正有）【課題】屋根に太陽電池、太陽熱温水器、テレビアンテナなどの機材を簡単に装着する為に枠体を取付けることが出来る屋根瓦を提供する。【解決手段】屋根瓦１の一方の側縁部に滑らかな凸状を成して形成される桟部４には枠体の枠材１１が嵌る凹溝８を設け、凹溝８の付近には枠材１１を金具を介して固定する為にビス打ちするビス穴１６を貫通して設けている。【選択図】図１
2014043673.tif 000002
【特許請求の範囲】
【請求項１】
屋根に太陽電池、太陽熱温水器、テレビアンテナなどの機材を装着する為に枠体を取付けることが出来る屋根瓦において、該屋根瓦の一方の側縁部に滑らかな凸状を成して形成される桟部には枠体の枠材が嵌る凹溝を設け、該凹溝の付近には該枠材を金具を介して固定する為にビス打ちするビス穴を貫通して設けたことを特徴とする屋根瓦。
【請求項２】
上記凹溝に隣接して先端側には凸部を起立して設け、ビス穴を凹溝の上側に設けた請求項１記載の屋根瓦。
【請求項３】
屋根に太陽電池、太陽熱温水器、テレビアンテナなどの機材を装着する為の枠体を取付ける構造において、該屋根瓦の一方の側縁部に滑らかな凸状を成して形成される桟部には凹溝を設け、該凹溝には枠体を構成する枠材を係合すると共に金具にて押圧し、該金具を付近に貫通して設けたビス穴を利用してビス打ちにて固定したことを特徴とする太陽電池などの機材を装着する枠体の取付け構造。
【発明の詳細な説明】
【技術分野】
【０００１】
本発明は上面に溝を形成し、この溝を利用することで太陽電池（ソーラーパネル）などの機材を装着し易くした屋根瓦、及び機材を装着する枠体の取付け構造に関するものである。
【背景技術】
【０００２】
地球温暖化防止の為に、また地球環境保全の為に、近年、太陽電池（ソーラーパネル）を屋根に設置する家庭が増えている。太陽光発電は、「太陽電池」と呼ばれる装置を用いて、太陽の光エネルギーを直接電気に変換する発電方式であり、地球上に到達する太陽光のエネルギー量は1m2当たり約1kW。もしも地球全体に降り注ぐ太陽エネルギーを100％変換できるとしたら、世界の年間消費エネルギーを、わずか1時間でまかなうことができるほど巨大なエネルギーであり、しかも、枯渇する心配はない。
【０００３】
現在、日本は、石油や石炭などのエネルギー資源を諸外国からの輸入に頼っており、こうした化石燃料はいずれなくなってしまうが、太陽の光という無尽蔵のエネルギーを活用する太陽光発電は、年々深刻化するエネルギー資源問題の有力な解決策の１つである。また、クリーンであることも大きな特長で、発電の際に地球温暖化の原因とされている二酸化炭素（ＣＯ2）も排出しない。エネルギー源の確保が簡単で、地球にもやさしい太陽光発電は、今後益々導入量の増加が期待されている。
【０００４】
ところで、太陽光発電を行なう太陽電池（ソーラーパネル）は、一般に太陽光が常に当る屋根に設置されることが殆どである。我国の一般的住宅の屋根は所定の角度で傾斜して屋根瓦が葺かれていて、太陽電池は傾斜した屋根瓦の上に設置しなくてはならない。従来、太陽電池を屋根に設置する為の設置構造に関して色々な技術が開発されている。
【０００５】
特開２０１２−１０２５４５号に係る「屋根への太陽電池モジュールの設置構造」は、屋根板自体を強固に固定できるとともに、屋根裏への雨漏りを防止でき、電池モジュール保持部材及び太陽電池モジュールを安定よく支持することが出来る屋根への太陽電池モジュールの設置構造である。
そこで、屋根板押え兼用の電池モジュール支持架台は電池モジュール保持部材を支持する天板と、この天板の左右両側縁から左右一対の各側板を折り下げて形成し、天板の左右方向中央部に内側凹溝を形成する。この電池モジュール支持架台は吊子および屋根板の左右の両立上り連結縁に亘ってその上から覆い被せるとともに、電池モジュール支持架台の内側凹溝の溝底部を吊子の架台受け段部に第２のビスで固定して、左右の各側板の下端に設けた屋根板押さえ部で屋根板をこれの上方から押さえ付けている。
【０００６】
特開２００３−３６１２号に係る「太陽電池を組み込んだ瓦」は、金属製金具など取付金具を必要とせず、強風などによる太陽電池落下防止構造を備え、かつ配線しやすい出力ケーブルを備え、外観や耐雨水性をさらに改善している。
そこで、瓦本体の表面に四角形平板面の太陽電池ユニット全体を収容可能な太陽電池収容凹部を形成するとともに、該凹部の下縁部又は側縁部に、収容した太陽電池ユニットの下辺が差し込まれて脱落しないように係止できる係止凹部を設けた小凸部からなる係止部を瓦本体と一体成形している。
【０００７】
このように、太陽電池を住宅の屋根に設置する技術は色々存在しているが、元々瓦が葺いてある屋根に太陽電池を取付けることは面倒であり、その為に上記のような技術は複雑であると共に、設置コスト的が高くなり、汎用性に欠ける。
【特許文献１】特開２０１２−１０２５４５号に係る「屋根への太陽電池モジュールの設置構造」
【特許文献２】特開２００３−３６１２号に係る「太陽電池を組み込んだ瓦」
【発明の開示】
【発明が解決しようとする課題】
【０００８】
このように、太陽電池を住宅の屋根に設置するのは上記のごとき問題がある。本発明が解決しようとする課題はこの問題点であり、太陽電池を簡単に設置することが出来る屋根瓦、及びこの屋根瓦を用いて太陽電池などの機材を装着する枠体の取付け構造を提供する。
【課題を解決するための手段】
【０００９】
本発明に係る屋根瓦は、この屋根瓦を用いて屋根を葺くことで、太陽電池の設置が簡単に出来、しかも安定した設置構造となるように構成している。そこで、屋根瓦としての基本形態は従来と同じく、外形は概略四角形を成し、対角線上には切欠きを有している。そして、全体的には滑らかに湾曲して谷部と桟部、及び差込み部を有しており、所々には屋根裏板の裏板桟に固定する為のクギ穴を貫通して設けている。また、上縁の下面には裏板桟に係止する為の突片を突出している。
【００１０】
ところで、桟部は側縁部に設けられた滑らかな凸部として形成され、該桟部と反対側の差込み部の間に設けている谷部は滑らかな凹部として形成している。そして、該桟部表面の一部が切欠かれて凹溝を形成している。この凹溝には屋根に装着する機材、例えば太陽電池や太陽熱温水器などを装着する為の枠体を構成する枠材が係合し、係合した枠材を屋根裏板の上に取着した桟木、胴縁、及び貫板に金具を介して固定される。その為に、該金具をビス打ちするビス穴が凹溝付近に貫通して設けられている。
【発明の効果】
【００１１】
本発明に係る屋根瓦の桟部には凹溝が設けられ、この凹溝に枠材を係合して金具で屋根に固定される。枠材は複数枚の屋根瓦に形成した凹溝に係合し、複数本の枠材によって枠体が組立てられ、この枠体に例えば太陽電池が装着される。枠材は凹溝に係合すると共に金具を介して屋根の桟木や胴縁などにビス打ちされることで枠体は安定して取付けられ、該枠体に装着される太陽電池などの機材は安定する。すなわち、枠材が滑り落ちて位置ズレすることはなく、複数枚の瓦の凹溝に係合して位置決めされる為に安定すると共に、屋根瓦自体に過剰な負担を与えることもない。
【図面の簡単な説明】
【００１２】
【図１】本発明に係る瓦を示す平面図。
【図２】本発明に係る瓦を示す底面図。
【図３】屋根の裏板に配列した瓦に枠材を取付けた縦断面。
【図４】枠材の取付け部分を示す詳細図。
【図５】枠材の取付け部分を示す詳細図。
【発明を実施するための形態】
【００１３】
図１は本発明に係る屋根瓦を示す平面図、図２は底面図（裏面図）を示し、平面図には左右方向で水平に延びる枠材を同時に表している。該屋根瓦１はその形状を概略四角形として、左側上端と右側下端には切欠き２ａ，２ｂを設け、全体は滑らかに湾曲している。全体的には滑らかな凹状の谷部３を有し、左側縁部には滑らかな凸状と成っている桟部４を、そして右側縁部には差込み部５を有している。
【００１４】
屋根瓦１，１・・・を屋根裏板に配列する場合、隣り合う瓦１と一部が重なり合うことで雨漏りがしないようになっており、桟部４は左側に配置した屋根瓦１の差込み部５の上に載り、差込み部５は右側に配置した屋根瓦１の桟部４の下側に位置することに成る。各屋根瓦１，１・・・は屋根裏板に取着している裏板桟にクギ打ちにて固定されるが、その為に、上部にはクギ穴６，６が貫通して設けられている。そして、裏板桟にクギ打ちされると同時に、該裏板桟に係止する為の突片７，７が底面の上縁に突出している。
【００１５】
ところで、これらは屋根瓦１としての基本的な形態であり、従来の屋根瓦と共通している。本発明の屋根瓦１は屋根に太陽電池（太陽パネル）などの機材を簡単に装着することが出来、この際、滑り落ちることなく安定した装着が出来るように構成したものであり、桟部４には凹溝８を設けている。該凹溝８は一定幅で平坦な底面９を有し、そして凹溝８に隣接して先端側（軒先側）には凸部１０を突出している。
【００１６】
ここで、凹溝８は桟部４の一部に形成しているが、その具体的な位置は限定しない。屋根瓦１の上縁部には上側に配置される別の屋根瓦１が載って重なり合うことから、該凹溝８は桟部４の比較的先端側としている。図１には枠材１１を同時に示しているが、細長い枠材１１は凹溝８に一部が係合し、また凸部１０に当って支持されている。すなわち、枠材１１は凹溝８に係合することで位置ズレすることなく位置決めされる。
【００１７】
図３は屋根に配列した屋根瓦１，１・・・の上に枠材１１を取付けた状態の縦断面を表している。同図に示すように、左側瓦１の差込み部５が右側瓦１の桟部４の下側に差し込まれて互いに重なり合っている。そして屋根裏板に取着している裏板桟１２は左右に延び、この裏板桟１２に屋根瓦１はクギ穴６，６を通してクギ打ちされ、また瓦底面の上縁に突出した突片７，７が裏板桟１２に係止している。そこで、裏板１３はタルキ１７，１７・・・にクギ打ちされている。
【００１８】
細長い枠材１１は左右４枚の屋根瓦１，１・・・に跨って取付けられている。すなわち、枠材１１は各屋根瓦１，１・・・に設けている凹溝８，８・・・に係合すると共に凸部１０，１０・・・に当接している。従って、裏板桟１２にクギ打ちされて固定した屋根瓦１，１・・・に対して、枠材１１は該屋根瓦１，１・・・を滑り落ちることなく定位置に安定して配置されることになる。
【００１９】
図４、図５は枠材１１が凹溝８に係合して取付けられている部分の詳細図を表している。前記図３は図５のＡ−Ａ断面を示している。ところで、裏板１３には対を成して重ねて構成した貫板１４と、その上に胴縁１８、さらにその上に桟木１９が積み上げられて固定されている。そして、枠材１１は凹溝８に係合しているが、該枠材１１が金属製であるならば、凹溝８の内面が欠ける虞があることから、樹脂製又はゴム製など柔らかいリングを嵌めた状態で該凹溝８に係合している。
【００２０】
一方、屋根瓦１の桟部４に形成している凹溝８の幅寸法精度は正確ではなく、多少のバラ付きがあるために、該凹溝８に嵌った枠材１１がガタ付かないようにリングを嵌めている。そして、凹溝８から枠材１１が外れないように、金具１５を介して固定される。金具１５は押圧部と止着部を有し、押圧部は枠材１１の上面に当たると共に止着部は桟部４に貫通したビス穴１６を通して上記桟木１９、胴縁１８、貫板１４にビス打ちされている。
【００２１】
また、屋根瓦１，１・・・は屋根の傾斜した裏板１３の上に配列され、該裏板１３には水平に左右方向に延びている裏板桟１２にクギ打ちされると共に、突片７，７が係止しているが、屋根瓦１の右側縁は上記桟木１９に当接又は近接して位置決めされている。すなわち、枠材１１を凹溝８に係合して固定する為にビス打ちする桟木１９を利用して屋根瓦１，１，１・・・の左右方向の位置決めを行っている。
【００２２】
このように、枠材１１は屋根瓦１，１，１・・・の定位置に安定して固定され、これら複数本の枠材１１，１１・・・によって所定の大きさの枠体が組み立てられる。この枠体１１は左右方向に延びて凹溝８に係合して固定される水平な枠材１１には、傾斜した別の枠材が必要に応じて連結される。そこで、太陽電池などの機材はこの枠体に装着される。勿論、太陽電池に限らず、テレビのアンテナ、太陽熱温水器、ベランダ、又はその他の機材を装着することが出来る。
【符号の説明】
【００２３】
１   瓦
２   切欠き
３   谷部
４   桟部
５   差込み部
６   クギ穴
７   突片
８   凹溝
９   底面
10   凸部
11   枠材
12   裏板桟
13   裏板
14   貫板
15   金具
16   ビス穴
17   タルキ
18   胴縁
19   桟木
【図１】
2014043673.tif 000003
【図２】
2014043673.tif 000004
【図３】
2014043673.tif 000005
【図４】
2014043673.tif 000006
【図５】
2014043673.tif 000007